(57)【要約】【課題】複雑な受信処理を要さず周波数選択性フェージング対策を簡易にして十分に図り得る無線通信方法を提供すること。【解決手段】端末側から正像波形Ａを持つ正像変調信号、鏡像波形Ｂを持つ鏡像変調信号を送信し、基地局（図示せず）経由で指定された通信相手側の端末で受信されると、端末における通信相手側では、受信処理として、正像波形Ａと鏡像波形Ｂとにおける線対称を成す位置に存在するサンプリング点ｆｓを含む基準線に基づいて各変調信号のサンプリングを行う際、サンプリングした正像変調信号及び鏡像変調信号の何れかの波形（正像波形Ａ、鏡像波形Ｂの何れか）に基づいて復調を行う復調処理を実行する。復調処理では、サンプリングした正像変調信号及び鏡像変調信号を同相化合成して重ね合わせる（正像波形Ａに対して鏡像波形Ｂを折り返す）ことにより正像波形Ａを原波形として復元する。【選択図】図２
2009088589.tif 000002
【特許請求の範囲】
【請求項１】
基地局を経由して端末間で無線通信を行う無線通信方法において、
前記端末側では、所定の周波数帯域における所定波形の正像変調信号、及び該正像変調信号よりも高い周波数帯域で該所定波形における位相を反転して鏡像波形となるように生成した鏡像変調信号を送信し、
前記基地局側では、前記正像変調信号及び前記鏡像変調信号を受信した時に前記端末の通信相手側を定めた上で通信制御により該正像変調信号及び該鏡像変調信号を送信し、
前記端末における前記通信相手側では、前記正像変調信号及び前記鏡像変調信号を受信した時の受信処理として、周波数軸上で前記所定波形と前記鏡像波形とにおける線対称を成す位置に存在する所定のサンプリング点を含む基準線に基づいてサンプリングを行うことを特徴とする無線通信方法。
【請求項２】
前記端末における前記通信相手側では、前記受信処理として、前記サンプリングした前記正像変調信号及び前記鏡像変調信号の何れかの波形に基づいて復調を行う復調処理を含むことを特徴とする請求項１記載の無線通信方法。
【請求項３】
前記復調処理では、前記サンプリングした前記正像変調信号及び前記鏡像変調信号を同相化合成して重ね合わせることにより前記所定波形を原波形として復元することを特徴とする請求項２記載の無線通信方法。
【請求項４】
所定の周波数帯域における所定波形の正像変調信号、及び該正像変調信号よりも高い周波数帯域で該所定波形における位相を反転して鏡像波形となるように生成された鏡像変調信号を受信した時、周波数軸上で該所定波形と該鏡像波形とにおける線対称となる位置に存在する所定のサンプリング点を含む基準線に基づいてサンプリングする受信処理を行うことを特徴とする無線受信方法。
【請求項５】
前記受信処理は、前記サンプリングした前記正像変調信号及び前記鏡像変調信号の何れかの波形に基づいて復調を行う復調処理を含むことを特徴とする請求項４記載の無線受信方法。
【請求項６】
前記復調処理では、前記サンプリングした前記正像変調信号及び前記鏡像変調信号を同相化合成して重ね合わせることにより前記所定波形を原波形として復元することを特徴とする請求項５記載の無線受信方法。
【請求項７】
所定の周波数帯域で互いに無線通信が可能な複数の端末と、前記複数の端末間での通信相手を定めて前記無線通信を行わせるための通信制御を行う基地局と、を備えた無線通信システムにおいて、
前記複数の端末は、
所定波形の正像変調信号、及び該正像変調信号よりも高い周波数帯域で該所定波形における位相を反転して鏡像波形となるように生成した鏡像変調信号を送信する信号生成送信処理機能と、
前記基地局により定められる通信相手から前記正像変調信号及び前記鏡像変調信号を受信した時に受信処理として、周波数軸上で前記所定波形と前記鏡像波形とにおける線対称となる位置に存在する所定のサンプリング点を含む基準線に基づいてサンプリングを行う受信処理機能と、を有し、
前記基地局は、前記複数の端末の任意なものから前記正像変調信号及び前記鏡像変調信号を受信した時に通信相手を定めて通信制御により該正像変調信号及び該鏡像変調信号を送信する通信制御機能を有することを特徴とする無線通信システム。
【請求項８】
前記複数の端末における前記受信処理機能は、前記受信処理として、前記サンプリングした前記正像変調信号及び前記鏡像変調信号の何れかの波形に基づいて復調を行う復調処理を含むことを特徴とする請求項７記載の無線通信システム。
【請求項９】
前記復調処理では、前記サンプリングした前記正像変調信号及び前記鏡像変調信号を同相化合成して重ね合わせることにより前記所定波形を原波形として復元することを特徴とする請求項８記載の無線通信システム。
【請求項１０】
前記複数の端末は、前記無線通信をマルチキャリア方式で行うＰＨＳ端末であることを特徴とする請求項７〜９の何れかに記載の無線通信システム。
【請求項１１】
所定の周波数帯域における所定波形の正像変調信号、及び該正像変調信号よりも高い周波数帯域で該所定波形における位相を反転して鏡像波形となるように生成された鏡像変調信号を受信した時、周波数軸上で該所定波形と該鏡像波形とにおける線対称を成す位置に存在する所定のサンプリング点を含む基準線に基づいてサンプリングを行う受信処理機能を有することを特徴とする無線受信装置。
【請求項１２】
前記受信処理機能は、前記サンプリングした前記正像変調信号及び前記鏡像変調信号の何れかの波形に基づいて復調を行う復調処理を含むことを特徴とする請求項１１記載の無線受信装置。
【請求項１３】
前記復調処理では、前記サンプリングした前記正像変調信号及び前記鏡像変調信号を同相化合成して重ね合わせることにより前記所定波形を原波形として復元することを特徴とする請求項１２記載の無線受信装置。
【発明の詳細な説明】
【技術分野】
【０００１】
本発明は、周波数選択性フェージング対策を簡易にして十分に図り得る無線通信方法、無線受信方法、無線通信システム及び無線受信装置に関する。
【背景技術】
【０００２】
従来、一般に無線通信装置で生成される所定波形のスペクトラム成分を有する変調信号については、例えばシングルキャリア方式で伝送した場合、周波数選択性フェージングの影響を受けて刻々と信号レベルが低下変動しまうことにより、通信品質が劣化してしまうことが知られている。
【０００３】
そこで、こうした周波数選択性フェージングへの耐性を向上させるため、近年では被変調波の情報を分散させるマルチキャリア方式による伝送が汎用的に採用されており、その一例としては低コスト化、小型化を図り、局部発振器間の干渉等の不具合を無くし、無線周波数及び中間周波数での折り返し機能（自局折り返し試験機能）を持つ無線送受信装置（特許文献１参照）等が挙げられる。
【０００４】
【特許文献１】特開平６−１５２４６１号公報
【発明の開示】
【発明が解決しようとする課題】
【０００５】
上述した特許文献１に係る無線送受信装置の場合、ここで適用されているマルチキャリア方式による伝送については、一般に周波数選択性フェージングには強いという利点がある。
【０００６】
しかしながら、被変調波の情報を分散させて周波数帯域が広げられた条件下で複数の変調信号の周波数選択性フェージングによる信号レベルの低下（低い周波数側の変調信号で顕著になるが、高い周波数側の変調信号では抑制されるため、復調後の誤り訂正等の処理を施すことで元情報の復元自体を或る程度行うことができる）を回避すべく、通常受信時の復調に際してサンプリング点を最高動作周波数の２倍以上に設定しなければならない（サンプリング周波数が高くなる）。これにより、受信側の信号処理が複雑になってしまうという問題がある。
【０００７】
すなわち、特許文献１に係る無線送受信装置で提案されている無線周波数及び中間周波数での自局折り返し試験機能は、スーパーヘテロダイン方式の複雑な受信処理（復調）を要するものであることにより、容易に実施し難いという問題点がある。
【０００８】
本発明は、このような問題点を解決すべくなされたもので、その目的は、複雑な受信処理を要さず周波数選択性フェージング対策を簡易にして十分に図り得る無線通信方法、無線受信方法、無線通信システム及び無線受信装置を提供することにある。
【課題を解決するための手段】
【０００９】
前記目的達成のために、本発明に係る無線通信方法は、基地局を経由して端末間で無線通信を行う無線通信方法において、
前記端末側では、所定の周波数帯域における所定波形の正像変調信号、及び該正像変調信号よりも高い周波数帯域で該所定波形における位相を反転して鏡像波形となるように生成した鏡像変調信号を送信し、
前記基地局側では、前記正像変調信号及び前記鏡像変調信号を受信した時に前記端末の通信相手側を定めた上で通信制御により該正像変調信号及び該鏡像変調信号を送信し、
前記端末における前記通信相手側では、前記正像変調信号及び前記鏡像変調信号を受信した時の受信処理として、周波数軸上で前記所定波形と前記鏡像波形とにおける線対称を成す位置に存在する所定のサンプリング点を含む基準線に基づいてサンプリングを行うことを特徴とする。
端末の通信相手側が自局であれば、特許文献１の場合と同様な自局折り返し試験機能が構築されるが、上記方法により、ここでは受信処理として、通信相手側に拘らず周波数軸上で各変調信号波形の線対称を成す位置に存在する所定のサンプリング点を含む基準線に基づいて各変調信号のサンプリングを行うため、受信側の信号処理が簡易になる。
【００１０】
また、本発明に係る無線通信方法は、前記端末における前記通信相手側では、前記受信処理として、前記サンプリングした前記正像変調信号及び前記鏡像変調信号の何れかの波形に基づいて復調を行う復調処理を含むことを特徴とする。
上記方法により、変調信号の正像成分または鏡像成分の何れかが周波数選択性フェージングにより抑圧されていても、サンプリング後には周波数選択性フェージングの影響の少ない方に基づいて的確に復調を行うことができる。
【００１１】
また、本発明に係る無線通信方法は、前記復調処理では、前記サンプリングした前記正像変調信号及び前記鏡像変調信号を同相化合成して重ね合わせることにより前記所定波形を原波形として復元することを特徴とする。
上記方法により、上述した変調信号の正像成分または鏡像成分の何れかが周波数選択性フェージングにより抑圧されていても、各変調信号の波形を合成することにより元情報を容易に復元できる。
【００１２】
また、本発明に係る無線受信方法は、所定の周波数帯域における所定波形の正像変調信号、及び該正像変調信号よりも高い周波数帯域で該所定波形における位相を反転して鏡像波形となるように生成された鏡像変調信号を受信した時、周波数軸上で該所定波形と該鏡像波形とにおける線対称となる位置に存在する所定のサンプリング点を含む基準線に基づいてサンプリングする受信処理を行うことを特徴とする。
上記方法により、無線通信として送信された波形が線対称な正像成分と鏡像成分とを持つ変調信号を受信することを前提とし、その受信処理として、周波数軸上で所定波形と鏡像波形とにおける線対称となる位置に存在する所定のサンプリング点を含む基準線に基づいて変調信号のサンプリングを行うため、受信側の信号処理が簡易になる。
【００１３】
また、本発明に係る無線受信方法は、前記受信処理は、前記サンプリングした前記正像変調信号及び前記鏡像変調信号の何れかの波形に基づいて復調を行う復調処理を含むことを特徴とする。
上記方法により、サンプリング後には周波数選択性フェージングの影響の少ない方に基づいて的確に復調を行うことができる。
【００１４】
また、本発明に係る無線受信方法は、前記復調処理では、前記サンプリングした前記正像変調信号及び前記鏡像変調信号を同相化合成して重ね合わせることにより前記所定波形を原波形として復元することを特徴とする。
上記方法により、各変調信号の波形を合成することにより元情報を容易に復元できる。
【００１５】
また、本発明に係る無線通信システムは、所定の周波数帯域で互いに無線通信が可能な複数の端末と、前記複数の端末間での通信相手を定めて前記無線通信を行わせるための通信制御を行う基地局と、を備えた無線通信システムにおいて、
前記複数の端末は、
所定波形の正像変調信号、及び該正像変調信号よりも高い周波数帯域で該所定波形における位相を反転して鏡像波形となるように生成した鏡像変調信号を送信する信号生成送信処理機能と、
前記基地局により定められる通信相手から前記正像変調信号及び前記鏡像変調信号を受信した時に受信処理として、周波数軸上で前記所定波形と前記鏡像波形とにおける線対称となる位置に存在する所定のサンプリング点を含む基準線に基づいてサンプリングを行う受信処理機能と、を有し、
前記基地局は、前記複数の端末の任意なものから前記正像変調信号及び前記鏡像変調信号を受信した時に通信相手を定めて通信制御により該正像変調信号及び該鏡像変調信号を送信する通信制御機能を有することを特徴とする。
端末の通信相手が自局であれば、特許文献１の場合と同様な自局折り返し試験機能が構築されるが、上記無線通信システムにより、ここでは受信処理として、通信相手側に拘らず周波数軸上で各信号波形の線対称を成す位置に存在する所定のサンプリング点を含む基準線に基づいて各信号のサンプリングを行うため、受信処理を行うための構成が簡単になる。
【００１６】
また、本発明に係る無線通信システムは、前記複数の端末における前記受信処理機能は、前記受信処理として、前記サンプリングした前記正像変調信号及び前記鏡像変調信号の何れかの波形に基づいて復調を行う復調処理を含むことを特徴とする。
上記無線通信システムにより、変調信号の正像成分または鏡像成分の何れかが周波数選択性フェージングにより抑圧されていても、簡単な構成でサンプリング後には周波数選択性フェージングの影響の少ない方に基づいて的確に復調を行うことができる。
【００１７】
また、本発明に係る無線通信システムは、前記復調処理では、前記サンプリングした前記正像変調信号及び前記鏡像変調信号を同相化合成して重ね合わせることにより前記所定波形を原波形として復元することを特徴とする。
上記無線通信システムにより、上述した変調信号の正像成分または鏡像成分の何れかが周波数選択性フェージングにより抑圧されていても、簡単な構成で各変調信号の波形を合成することにより元情報を容易に復元できる。
【００１８】
また、本発明に係る無線通信システムは、前記複数の端末は、前記無線通信をマルチキャリア方式で行うＰＨＳ端末であることを特徴とする。
上記無線通信システムにより、ＰＨＳ端末の受信処理機能において、複雑な受信処理を要することなく、周波数選択性フェージング対策を十分に図り得る簡単な構成のものとなり、システム全体を廉価に提供できる。
【００１９】
また、本発明に係る無線受信装置は、所定の周波数帯域における所定波形の正像変調信号、及び該正像変調信号よりも高い周波数帯域で該所定波形における位相を反転して鏡像波形となるように生成された鏡像変調信号を受信した時、周波数軸上で該所定波形と該鏡像波形とにおける線対称を成す位置に存在する所定のサンプリング点を含む基準線に基づいてサンプリングを行う受信処理機能を有することを特徴とする。
上記構成により、無線通信により送信された波形が線対称な正像成分と鏡像成分とを持つ変調信号を受信することを前提とし、その受信処理として、上記無線通信システム（発明７）と同様な処理によるサンプリングを行うため、同様に受信側の信号処理を簡単な構成で行うことができる。
【００２０】
また、本発明に係る無線受信装置は、前記受信処理機能は、前記サンプリングした前記正像変調信号及び前記鏡像変調信号の何れかの波形に基づいて復調を行う復調処理を含むことを特徴とする。
上記構成により、簡単な構成でサンプリング後には周波数選択性フェージングの影響の少ない方に基づいて的確に復調を行うことができる。
【００２１】
また、本発明に係る無線受信装置は、前記復調処理では、前記サンプリングした前記正像変調信号及び前記鏡像変調信号を同相化合成して重ね合わせることにより前記所定波形を原波形として復元することを特徴とする。
上記構成により、簡単な構成で各変調信号の波形を合成することにより元情報を容易に復元できる。
【発明の効果】
【００２２】
本発明の無線通信方法、無線受信方法によれば、複雑な受信処理を要することなく、マルチキャリア方式による伝送時の耐周波数選択性フェージング特性を維持したままシングルキャリア方式による伝送時の信号処理と同等な簡易な手法で受信処理を行うことができる。さらに、これらの無線通信方法、無線受信方法をそれぞれ適用した無線通信システム、無線受信装置においても、それぞれ同様な送信処理を担う信号生成送信処理機能、受信処理を担う受信処理機能を簡単な構成で構築できる。
【発明を実施するための最良の形態】
【００２３】
以下に、本発明の実施の形態を、図面を参照しながら説明する。
図１は、本発明の実施の形態に係る無線通信方法において送信処理される変調信号の周波数配置を信号レベルとの関係で示した模式図である。
【００２４】
図１では、端末側からの変調信号の送信に際して、低周波数帯域側の正像波形Ａを持つ正像変調信号と、それよりも高周波数帯域側に配置される位相を反転した鏡像波形Ｂを持つ鏡像変調信号とが送信される様子（何れもシングルキャリアのスペクトラムとして示される）を示している。なお、周波数軸上における正像波形Ａ及び鏡像波形Ｂの中間点は、これらの波形の線対称位置を示す線対称点ｆｘである。
【００２５】
図２は、本発明の最良の形態に係る無線通信方法において受信処理される変調信号の配置を周波数に対する信号レベルの関係で示した模式図である。
図２では、端末における通信相手側における受信処理に際して、先の線対称点ｆｘに相当する正像変調信号の正像波形Ａと鏡像変調信号の鏡像波形Ｂとにおける線対称を成す位置に存在するサンプリング点ｆｓを含む基準線に基づいて、各変調信号のサンプリングを行う様子を示している。
【００２６】
端末における通信相手側では、受信処理として、サンプリングした正像変調信号及び鏡像変調信号の何れかの波形（すなわち、正像波形Ａ、鏡像波形Ｂの何れか）に基づいて復調を行う復調処理を実行する。
【００２７】
この復調処理では、サンプリングした正像変調信号及び鏡像変調信号を同相化合成して重ね合わせることにより正像波形Ａを原波形として復元する。ここでは正像波形Ａに対して鏡像波形Ｂを折り返して重ね合わせて正像波形Ａ＋鏡像波形Ｂとする様子を示しているが、復調処理自体は、鏡像波形Ｂに対して正像波形Ａを折り返して重ね合わせたり、或いは正像波形Ａ，鏡像波形Ｂの何れか周波数選択性フェージングによる影響が少なく、信号レベルの低下が低い方（通常周波数帯域の高い鏡像変調信号の方が該当する）に基づいて原波形を復元するようにしてもよい。
【００２８】
因みに、サンプリング点（サンプリング周波数）ｆｓを含む基準線に基づく正像変調信号及び鏡像変調信号を濾波生成するためには、ＦＩＲフィルタ等の周波数帯域濾波用であって、正像波形Ａの立ち下がり終端周波数に対して鏡像波形Ｂの立ち上がり開始周波数を特定可能な濾波特性を持つアンチエリアシングフィルタＣを用いることが有効である。
【００２９】
このような無線通信方法に従えば、端末の通信相手側が自局であれば、特許文献１の場合と同様な自局折り返し試験機能が構築されるが、ここでは受信処理として、通信相手側に拘らずサンプリング点ｆｓを含む基準線に基づいて各変調信号のサンプリングを行うため、受信側の信号処理が簡易になる。
【００３０】
また、変調信号の正像成分または鏡像成分の何れかが周波数選択性フェージングにより抑圧されていても、サンプリング後には周波数選択性フェージングの影響の少ない方に基づいて復調を行うことが可能になり、更に復調処理では、各成分を同相化合成して重ね合わせることにより正像波形Ａを原波形として復元するため、特許文献１の場合よりも受信側の信号処理が簡易になる。
【００３１】
結果として、複雑な受信処理を要することなく、マルチキャリア方式による伝送時の耐周波数選択性フェージング特性を維持したままシングルキャリア方式による伝送時の信号処理と同等な簡易な手法で受信処理できる（ダイバーシチー方式を自ら実行したような機能状態となる）ため、周波数選択性フェージング対策を簡易にして十分に図り得るものとなる。
【００３２】
ところで、このような無線通信により送信された波形が線対称な正像成分と鏡像成分とを持つ変調信号を受信することを前提とした本発明の無線受信方法においても、同様な受信処理を行う。
【００３３】
すなわち、正像波形Ａの正像変調信号、及びこれよりも高い周波数帯域の位相を反転した鏡像波形Ｂの鏡像変調信号を受信した時、周波数軸上でサンプリング点ｆｓを含む基準線に基づいてサンプリングする受信処理を行い、受信処理でサンプリングした正像変調信号及び鏡像変調信号の何れか一方の波形に基づいて復調を行う復調処理に際して、正像変調信号及び鏡像変調信号を同相化合成して重ね合わせて原波形を復元するため、同等な効果が得られる。
【００３４】
また、上述した本発明の無線通信方法を適用した無線通信システムでは、所定の周波数帯域で互いに無線通信が可能な複数の端末と、各端末間での通信相手を定めて無線通信を行わせるための通信制御を行う基地局とを備えた基本構成をとる。
【００３５】
この基本構成をとることにより、各端末については、上述した正像変調信号及び鏡像変調信号を送信する信号生成送信処理機能と、基地局により定められる通信相手から正像変調信号及び鏡像変調信号を受信した時に受信処理として、周波数軸上でサンプリング点ｆｓを含む基準線に基づいてサンプリングを行う受信処理機能とを有するものとなる。
【００３６】
そして、基地局については、各端末の任意なものから正像変調信号及び鏡像変調信号を受信した時に通信相手を定めて通信制御により正像変調信号及び鏡像変調信号を送信する通信制御機能を有するものとなる。
【００３７】
但し、ここでの各端末における信号生成送信処理機能は、通信相手を予め指定するものであり、基地局における通信制御機能については、指定された通信相手を認証した上で通信制御を行うものである。
【００３８】
また、この無線通信システムにおける各端末における受信処理機能は、受信処理として、サンプリングした正像変調信号及び鏡像変調信号の何れかの波形に基づいて復調を行う復調処理を含むもので、更に復調処理では、サンプリングした正像変調信号及び鏡像変調信号を同相化合成して重ね合わせることにより所定波形を原波形として復元する。
【００３９】
この無線通信システムの場合についても、複雑な受信処理を要することなく、マルチキャリア方式による伝送時の耐周波数選択性フェージング特性を維持したままシングルキャリア方式による伝送時の信号処理と同等な簡易な手法で受信処理できるため、周波数選択性フェージング対策を簡単な構成で十分に図り得るものとなる。
【００４０】
特に、各端末を無線通信をマルチキャリア方式で行うＰＨＳ端末とした通信システムでは、ＰＨＳ端末の受信処理機能において、複雑な受信処理を要することなく、周波数選択性フェージング対策を十分に図り得る簡単な構成のものとなり、システム全体を簡単な構成にできる。
【００４１】
加えて、上述した本発明の無線受信方法を適用した無線受信装置の場合においても、無線通信により送信された波形が線対称な正像成分と鏡像成分とを持つ変調信号を受信することを前提として同様な受信処理を行う。
【００４２】
すなわち、正像波形Ａの正像変調信号、及びこれよりも高い周波数帯域の位相を反転した鏡像波形Ｂの鏡像変調信号を受信した時、周波数軸上でサンプリング点ｆｓを含む基準線に基づいてサンプリングする受信処理を行う受信処理機能を有するもので、受信処理機能の受信処理として、サンプリングした正像変調信号及び鏡像変調信号の何れか一方の波形に基づいて復調を行う復調処理に際して、正像変調信号及び鏡像変調信号を同相化合成して重ね合わせて原波形を復元するため、同等に簡素な構成で同等な効果が得られる。
【００４３】
以下は、本発明の無線通信システム、無線受信装置について、具体的に実施例を挙げ、図面を参照して詳細に説明する。
【実施例】
【００４４】
図３は、本発明の実施例に係る無線通信システムに適用されるＰＨＳ端末に備えられる無線送信装置の基本構成を要部の信号波形を含めて例示したブロック図である。
【００４５】
この無線送信装置の場合、信号生成器１１から所定の無線周波数帯域で所定レベルのデジタル信号が生成され、このデジタル信号がデジタル／アナログ変換器（ＤＡＣ）１２でデジタル／アナログ変換された結果、所定レベルの矩形波によるベースバンド生成信号が出力される。
【００４６】
このベースバンド生成信号は、乗算機能を持つ混合器（ミキサ）１３において、周波数ｆ（Ｌｏ１）の局部発振器１４との間で周波数混合処理された結果、図示されるようなベースバンド生成信号以外、周波数ｆ（Ｌｏ１）を線対称点として含む基準線に基づく正像信号及び鏡像信号、その２倍の周波数ｆ２（Ｌｏ１）を線対称として含む基準線に基づく正像信号及び鏡像信号、その３倍の周波数ｆ３（Ｌｏ１）を線対称点として含む基準線に基づく正像信号及び鏡像信号が出力される。
【００４７】
これらの各信号は、帯域濾波器（ＢＰＦ）１５で濾波されると、周波数ｆ（Ｌｏ１）を線対称点として含む基準線に基づく正像信号及び鏡像信号だけが出力され、これが中間周波数帯域（ＩＦ）用の増幅器（ＩＦＡ）１６で増幅された後、乗算機能を持つ混合器（ミキサ）１７へ送出される。
【００４８】
混合器（ミキサ）１７では、入力信号を周波数ｆ（Ｌｏ２）の局部発振器１８との間で周波数混合処理してから帯域濾波器（ＢＰＦ）１９へ送出した結果、濾波された信号は図示されるように周波数ｆ（Ｌｏ１）に周波数ｆ（Ｌｏ２）を加えた周波数ｆ（Ｌｏ１）＋ｆ（Ｌｏ２）を線対称点ｆ（ｔｘ）［すなわち、ｆ（ｔｘ）＝ｆ（Ｌｏ１）＋ｆ（Ｌｏ２）］として含む基準線に基づく正像信号及び鏡像信号となり、これを無線周波数帯域（ＲＦ）用の増幅器（ＲＦＡ）１６で増幅した後、線対称点ｆ（ｔｘ）を含む基準線に基づく正像変調信号及び鏡像変調信号を送信用のアンテナ２１を介してマルチキャリア方式で無線送信する。
【００４９】
以上により、この無線送信装置では、線対称点ｆ（ｔｘ）を含む基準線に基づく正像変調信号及び鏡像変調信号を送信する信号生成送信処理機能が構築されることになる。
なお、このようなＰＨＳ端末に搭載される無線送信装置の信号生成送信処理機能では、通信相手を予め指定することができるので、各変調信号が送信された基地局（図示せず）では、その通信制御機能により指定された通信相手を認証した上で通信制御を行って通信相手へ後述する線対称点ｆ（ｒｘ）を含む基準線に基づく正像変調信号及び鏡像変調信号を送信する。
【００５０】
図４は、本発明の実施例に係るＰＨＳシステム（無線通信システム）に適用されるＰＨＳ端末に備えられる無線受信装置の基本構成を要部の信号処理波形を含めて例示したブロック図である。
【００５１】
この無線受信装置の場合、図示されるように受信用のアンテナ２２を介してマルチキャリア方式で線対称点ｆ（ｒｘ）を含む基準線に基づく正像変調信号及び鏡像変調信号が受信されると、帯域濾波器（ＢＰＦ）２３で濾波された後、低雑音用の増幅器（ＬＮＡ）２４で増幅されてから混合器（ミキサ）２５へ送出される。
【００５２】
混合器（ミキサ）２５では、入力信号を所定の周波数の局部発振器２６との間で周波数混合処理し、周波数ｆ（ｒｘ）±ｆ（Ｌｏｃａｌ）成分の信号を出力する。この周波数ｆ（ｒｘ）±ｆ（Ｌｏｃａｌ）成分の信号は、分岐伝送されて信号用の帯域濾波器（ＢＰＦ）２７で濾波されたものについては、図示のような周波数ｆ（ｒｘ）−ｆ（Ｌｏｃａｌ）を線対称点ｆ（ＩＦ）［すなわち、ｆ（ＩＦ）＝ｆ（ｒｘ）−ｆ（Ｌｏｃａｌ）］として含む基準線に基づく正像変調信号及び鏡像変調信号として出力される。
【００５３】
これに対し、最低共振周波数用のアンチエリアシングフィルタ等の帯域濾波器（ＢＰＦ）２８で濾波されたものについては、図中の点線に示されるような正像波形の立ち下がり終端周波数から鏡像波形の立ち上がり開始周波数に至る凸状波形の濾波（ＢＰＦ）特性に基づいて、正像波形及び鏡像波形の中間位置（線対称位置）をサンプリング周波数ｆ（ＩＦ）として含む基準線に基づく正像信号及び鏡像信号として出力され、位相比較器２９へ送出される。
【００５４】
位相比較器２９では、サンプリング周波数ｆ（ＩＦ）を含む基準線に基づく正像信号及び鏡像信号における正像波形及び鏡像波形の位相を比較し、その位相差を示す位相差信号を周波数可変発振器（ＶＣＯ）３０へ送出する。周波数可変発振器（ＶＣＯ）３０では、位相差を周波数可変にして補償することにより、正像波形及び鏡像波形の中間周波数（周波数軸上におけるサンプリング点）を示すサンプリング周波数信号をアナログ／デジタル変換器（ＡＤＣ）３１へ送出する。なお、サンプリング周波数信号の一部は位相比較器２９に帰還されるため、位相比較器２９での位相差補償は常時最適なものとして行われる。
【００５５】
アナログ／デジタル変換器（ＡＤＣ）３１では、周波数可変発振器（ＶＣＯ）３０からのサンプリング周波数信号と帯域濾波器（ＢＰＦ）２７からの線対称点ｆ（ＩＦ）を含む基準線に基づく正像変調信号及び鏡像変調信号とをアナログ／デジタル変換してから復調処理器３２へ送出する。復調処理器３２では、デジタル化されたサンプリング周波数信号に示されるサンプリング点ｆｓを示すサンプリング周波数ｆ（ＩＦ）に基づいて正像変調信号に対して鏡像変調信号を同相化合成して重ね合わせ（鏡像波形が正像波形へ折り返された格好となる）、正像変調信号の原波形を復元することにより復調処理を行う。
【００５６】
以上により、このＰＨＳ端末に備えられる無線受信装置では、基地局により定められる通信相手から正像変調信号及び鏡像変調信号を受信した時に受信処理として、周波数軸上でサンプリング点ｆｓを含む基準線に基づいてサンプリングを行う受信処理機能が構築され、受信処理機能の受信処理は、サンプリングした正像変調信号及び鏡像変調信号の何れかの波形に基づいて復調を行う復調処理を含むもので、更に復調処理では、正像変調信号及び鏡像変調信号を同相化合成して重ね合わせて原波形を復元する機能が得られる。
【００５７】
なお、実施例の無線受信装置における復調処理器３２では、正像変調信号に対して鏡像変調信号を同相化合成して重ね合わせ、正像変調信号の原波形を復元するものとして説明したが、復調処理自体は鏡像変調信号に対して正像変調信号を同相化合成して重ね合わせ（正像波形が鏡像波形へ折り返された格好となる）、原波形を復元するようにしたり、或いは周波数選択性フェージングによる影響が少なく、正像変調信号及び鏡像変調信号の何れかの信号レベルの低下が低い方に基づいて原波形を復元するようにしても良いので、開示された形態のものに限定されない。
【００５８】
以上に述べた、実施例の無線通信システムに適用されるＰＨＳ端末に備えられる無線受信装置をＰＨＳ端末ではなく、一般的な無線通信により送信された波形が線対称な正像成分と鏡像成分とを持つ変調信号を受信することを前提とする用途に適用することもできる。
【００５９】
すなわち、ＰＨＳ端末以外の無線受信装置についても、図４に示す構成をそのまま適用でき、同様な受信処理機能（正像変調信号及び鏡像変調信号を受信した時、周波数軸上でサンプリング点ｆｓを含む基準線に基づいてサンプリングする受信処理を行い、その受信処理として、サンプリングした正像変調信号及び鏡像変調信号の何れかの波形に基づいて復調を行う復調処理を含み、復調処理では正像変調信号及び鏡像変調信号を同相化合成して重ね合わせて原波形を復元する）を持つものであるため、同等に簡素な構成で同等な効果が得られる。
【図面の簡単な説明】
【００６０】
【図１】本発明の実施の形態に係る無線通信方法において送信処理される変調信号の配置を周波数に対する信号レベルの関係で示した模式図である。
【図２】本発明の実施の形態に係る無線通信方法において受信処理される変調信号の配置を周波数に対する信号レベルの関係で示した模式図である。
【図３】本発明の実施例に係る無線通信システムに適用されるＰＨＳ端末に備えられる無線送信装置の基本構成を要部の信号処理波形を含めて例示したブロック図である。
【図４】本発明の実施例に係る無線通信システムに適用されるＰＨＳ端末に備えられる無線受信装置の基本構成を要部の信号処理波形を含めて例示したブロック図である。
【符号の説明】
【００６１】
１１  信号生成器
１２  デジタル／アナログ変換器（ＤＡＣ）
１３，１７，２５  混合器（ミキサ）
１４，１８，２６  局部発振器
１５，１９，２３，２７，２８  帯域濾波器（ＢＰＦ）
１６，２０，２４  増幅器
２１，２２  アンテナ
２９  位相比較器
３０  周波数可変発振器（ＶＣＯ）
３１  アナログ／デジタル変換器（ＡＤＣ）
３２  復調処理器
Ａ  正像波形
Ｂ  鏡像波形
ｆｓ  サンプリング点
ｆｘ  線対称点
【図１】
2009088589.tif 000003
【図２】
2009088589.tif 000004
【図３】
2009088589.tif 000005
【図４】
2009088589.tif 000006